(57)【要約】【課題】就寝中における電磁波の人体への影響を防止する機能を備えた寝具を提供すること。【解決手段】本発明では、電磁波防止シート４と、竹炭および／もしくは木炭を含有したインナーシート６とを重層した。電磁波防止シート４は、金属メッキ繊維により構成され、インナーシート６における竹炭と木炭との割合は４：１とし、不織布からなるシート３と、電磁波防止シート４と、絹シート５と、インナーシート６と、クッション材層７と、不織布からなるシート８とを順に重層したものを、カバーシート２で包んで構成した。【選択図】            図２
2004254748.tif 000002
【特許請求の範囲】
【請求項１】
電磁波防止シートと、竹炭および／もしくは木炭を含有したインナーシートとを重層してなることを特徴とする寝具。
【請求項２】
電磁波防止シートは、金属メッキ繊維により構成されていることを特徴とする請求項１に記載の寝具。
【請求項３】
インナーシートにおける竹炭と木炭との割合は、４：１〜５：１としたことを特徴とする請求項１または２の何れか１項に記載の寝具。
【請求項４】
電磁波防止シートは、少なくとも幅０．６ｍ、長さ１．７ｍの大きさとしたことを特徴とする請求項１〜３の何れか１項に記載の寝具。
【請求項５】
不織布からなるシートを重層したことを特徴とする請求項１〜４の何れか１項に記載の寝具。
【請求項６】
不織布からなるシートと、電磁波防止シートと、絹シートと、インナーシートと、クッション材層と、不織布からなるシートとを重層したものを、カバーシートで包んで構成したことを特徴とする請求項１〜４の何れか１項に記載の寝具。
【発明の詳細な説明】
【０００１】
【発明の属する技術分野】
本発明は、就寝中に人体に影響を及ぼす電磁波を遮断して、人体への影響を防止する機能を有した寝具に関するものである。
【０００２】
【従来の技術】
従来より、電磁波の人体への影響は種々問題となっている。例えば、英国のＮＲＰＢ（国立放射線防御委員会）は、高圧線の発ガン性を認め、イタリア環境相はバチカン放送に出力を下げるよう通告し、スペインのマルシア地方裁判所は「電磁波は健康被害あり」との判決を下し、ドイツでは２００１年１月発行の「国際がんジャーナル」に電磁波と小児白血病に関する疫学調査の報告が掲載され、スウェーデンのＴＣＯ（事務系労働者の労働組合連合組織）が携帯電話のＳＡＲ（エネルギーの頭部吸収量）でガイドライン設定を準備中と報道されている。
【０００３】
具体的には、５０〜６０Ｈｚの低周波磁場の発ガン性、０．４μＴ（４ミリガウス）以上の磁場で小児白血病の倍増、最大値１６ミリガウス以上の被爆による流産の危険性等が指摘されている。
【０００４】
そこで、電磁波のシールド効果を備えた着衣として次のようなベストが提案されている。即ち、ベストの両脇に設けられるサイズ調整部のサイズ調整部によってサイズが調整されるため、フィット感が得られ、サイズ調整部が導電性素材によって形成されていることから、サイズ調整部を含むベストの表面全体の導電性素材の導通化が図れ、導電性素材の表面積が大きくされるので、正面から到来する電磁波が効率良くシールドされるばかりか、左右及び後方からの電磁波に対してもそのシールドが効率良く行われるように構成したベストが提案されている。（例えば、特許文献１参照）
【０００５】
【特許文献１】
特開平１１−５４９７６
【０００６】
【発明が解決しようとする課題】
ところが、上述したような従来の着衣は、就寝中には使用できないため、就寝中において周囲の電気機器や配電機器からの電磁波の影響を防止できないという問題があった。
【０００７】
そこで、本発明は、就寝中における電磁波防止機能を備えた寝具を提供することを目的としてなされたものである。
【０００８】
【課題を解決するための手段】
本発明にかかる請求項１の寝具においては、電磁波防止シートと、竹炭および／もしくは木炭を含有したインナーシートとを重層してなることを特徴としている。
【０００９】
請求項２では、電磁波防止シートは、金属メッキ繊維により構成されている。
【００１０】
請求項３では、インナーシートにおける竹炭と木炭との割合は、３：１〜５：１とした。
【００１１】
請求項４では、電磁波防止シートは、少なくとも横０．６ｍ、縦１．７ｍの大きさとした。
【００１２】
請求項５では、不織布からなるシートを重層した。
【００１３】
請求項６では、不織布からなるシートと、電磁波防止シートと、絹シートと、インナーシートと、クッション材層と、不織布からなるシートとを重層したものを、カバーシートで包んで構成した。
【００１４】
【発明の実施の形態】
以下に、本発明にかかる寝具を、その実施の形態を示した図面に基づいて詳細に説明する。
【００１５】
図１、２、３において、符号１は本発明にかかる寝具である。
【００１６】
この寝具１の内部構成を、図２に示した。図２においては、説明のために、カバーシート２は破線で示し、他のシート３、４、５、６、８は端の部分をめくり上げて示した。
【００１７】
寝具１は図２に示したように、袋状に構成したカバーシート２の内部に、黒色の不織布からなるシート３と、金属メッキを施した繊維を含んだ電磁波防止シート４と、絹シート５と、インナーシート６と、ポリエステル綿を袋に充填したクッション材層７と、前記同様の不織布からなるシート８とを、以上の順に重層したものである。
前記インナーシート６は、ポリエチレン布と、ネル綿布と、デュポン社製の不織布と、適量のプラチナ炭とを重層して構成したものである。
【００１８】
このインナーシート６の厚みは２．３ｃｍ程度が好ましい。また、寝具１の厚みは８ｃｍ程度とし、大きさは横１．０ｍ、縦２．１ｍ程度とする。
【００１９】
そして、図３に示したように、電磁波防止シート４の大きさは、寝具の大きさと同程度としなくても、少なくとも横０．６ｍ、縦１．７ｍ程度として就寝時の人体が収まる程度であればよい。
【００２０】
また、前記インナーシート６には竹炭８０％、備長炭２０％の割合の炭を１ｋｇ〜１０ｋｇ程度充填するとよい。なお、竹炭と備長炭の割合は３：１〜５：１の範囲が好ましい。また、備長炭は普通の木炭を混ぜてもよく、備長炭を木炭に代えてもよい。
以上の構成の寝具１を用いて就寝すると、例えば階下の電子・電気機器や床下の配電線からの電磁波が寝具１に到達した場合、クッション材層７やインナーシート６を通過しても、電磁波防止シート４によって遮断されるので、カバーシート２のさらに上に横たわっている人体には電磁波は到達しない。電磁波は電界と磁界との相互作用によって空間中を伝搬するものであるが、電磁波防止シート４に到達すると電磁波防止シート４が持つ導電性によって電界が短絡されるので電界と磁界の相互作用が遮断されるから、電磁波を防止するのである。
【００２１】
【００２２】
【発明の効果】
以上のように、本発明の寝具によれば、電磁波を防止するので就寝中に電磁波の影響を受けにくくすることができる。
【００２３】
また、竹炭や木炭、備長炭を充填したので、マイナスイオン効果や脱臭効果、遠赤外線効果等の種々の効果が得られる。
【図面の簡単な説明】
【図１】本発明にかかる寝具の側面図である。
【図２】前記寝具の部分的な側面断面図である。
【図３】前記寝具の好適な例の平面図である。
【符号の説明】
１  寝具
２  カバーシート
３  不織布からなるシート
４  電磁波防止シート
５  絹シート
６  インナーシート（竹炭、備長炭、木炭）
７  クッション材層
８  不織布からなるシート
【図１】
2004254748.tif 000003
【図２】
2004254748.tif 000004
【図３】
2004254748.tif 000005